(57)【要約】【課題】表示パネルをケースの所定位置に損傷することなく容易に且つガタツキなく確実に収納することができ、更に解体も容易に行える、作業性及び信頼性に優れた表示パネルの収納保持構造を提供する。【解決手段】外形が長方形の液晶表示パネルＬｐを収容するパネルケース３は、外郭が長方形をなす底板３ａの各縁辺にそれぞれ挟持片３ｂ〜３ｅが立設されてなり、隣り合う挟持片３ｂ、３ｃが平板状の支持片に、これらに対向する挟持片３ｄ、３ｅがＴ字型の押圧片に、それぞれ形成されている。この押圧片３ｄ、３ｅの枝部３ｄ1 、３ｄ2 及び３ｅ1 、３ｅ2 を「く」の字に折曲して底板３ａ上に載置された液晶表示パネルＬｐの対応する端面に当接させ、対向する支持片３ｂ、３ｃとで液晶表示パネルＬｐを挟持させる。この状態でシールドケース４を嵌装すれば、液晶表示パネルＬｐが正規の位置に安定的に保持される。【選択図】図２
2005189596.tif 000002
【特許請求の範囲】
【請求項１】
変形可能な材料で形成されたパネルケースと該パネルケースに被装されるシールドケースとからなる収納ケース内に表示パネルを所定位置に保持して収納するための表示パネルの収納保持構造であって、
前記シールドケースは前記表示パネルの表示領域に対応する表示窓を備え、
前記パネルケースは、前記表示パネルよりも面積の広い底板部と、該底板部の周縁に立設された複数の側板を備え、
前記側板のうちの少なくとも１枚の側板を表示パネルの方向に折曲して前記表示パネルの対応する端面に当接させ、他の側板とで前記表示パネルを挟持することにより、前記表示パネルをその表示領域が前記シールドケースの表示窓に対応する正規の収納位置に保
持することを特徴とする表示パネルの収納保持構造。
【請求項２】
前記パネルケースは、板金からなることを特徴とする請求項１に記載の表示パネルの収納保持構造。
【請求項３】
前記パネルケース、前記シールドケース及び前記表示パネルは、共に外形が矩形をなし、前記パネルケースの４縁辺にそれぞれ立設された側板のうちの隣り合う２側板を折曲し、それぞれに対向する他の側板とで前記液晶表示パネルを挟持させたことを特徴とする前記請求項１または請求項２に記載の表示パネルの収納保持構造。
【発明の詳細な説明】
【技術分野】
【０００１】
本発明は、液晶表示パネル等の平面型表示パネル（フラットディスプレイパネル）の収納保持構造に関するものである。
【背景技術】
【０００２】
従来、液晶表示パネル等のフラットディスプレイパネルをケース内の所定位置に収納保持する方法としては、両面テープ等の粘着材を用いて液晶表示パネルの表示領域から外れた縁端部をケースの底面に貼り付ける方法（特許文献１参照）や、表示パネルの外形に合せて形成されたケース内に落とし込んだ後に蓋を嵌装する方法等が採用されている。
【０００３】
前者の粘着材による貼り付け固定方法は、粘着材自体の厚みが寸法誤差を発生させる原因となるだけでなく、部品点数が増加して液晶表示パネルの収納作業が面倒なものとなり、製造工数をその分アップさせる。また、不良品を解体する場合に、粘着材を跡形なく剥がすことが難しいために修理作業工数がアップするだけでなく、分別廃棄にも支障を来たす。
【０００４】
一方、後者の落としこみ方法による場合は、上述した粘着材を使用する場合の欠点は解消されるが、表示パネルと収納ケースの双方の製作寸法公差を見込む必要があるため、その見込んだ公差から派生するガタツキの発生は避けることができない。また、ガタツキの発生を抑えるには見込む公差を可及的に小さくする必要あるが、その場合、ケース内に表示パネルを落とし込み辛くなり作業性が低下するだけでなく、液晶表示パネル等のようにガラス基板を用いる場合はケースにガラス基板の角部が当たり欠けてしまうことがある。
【特許文献１】特開平１０−２３２６２５号公報
【発明の開示】
【発明が解決しようとする課題】
【０００５】
本発明の課題は、表示パネルをケースの所定位置に損傷することなく容易に且つガタツキなく確実に収納することができ、更に解体も容易に行える、作業性及び信頼性に優れた表示パネルの収納保持構造を提供することである。
【課題を解決するための手段】
【０００６】
上記課題を解決するため、本発明の表示パネルの収納保持構造は、変形可能な材料で形成されたパネルケースと該パネルケースに被装されるシールドケースとからなる収納ケース内に表示パネルを所定位置に保持して収納するための収納保持構造であって、前記シールドケースは前記表示パネルの表示領域に対応する表示窓を備え、前記パネルケースは、前記表示パネルよりも面積の広い底板部と、該底板部の周縁に立設された複数の側板を備え、前記側板のうちの少なくとも１枚の側板を表示パネルの方向に折曲して前記表示パネルの対応する端面に当接させ、他の側板とで前記表示パネルを挟持することにより、前記表示パネルをその表示領域が前記シールドケースの表示窓に対応する正規の収納位置に保持することを特徴とするものである。
【発明の効果】
【０００７】
本発明の表示パネルの収納保持構造によれば、変形可能な材料で形成されたケースの側板により収納すべき表示パネルの端面を挟持させるから、粘着材等の専用の固定材が不要となり、且つ、側板の少なくとも１枚を折曲するだけで収納作業性を良くする為に設定されたクリアランスを吸収して表示パネルをガタツキなく正規の位置に保持できるから、収納及び解体の双方の作業が極めて簡単となる。その結果、作業性及び信頼性に優れると共にケースも含めた表示モジュールの原価低減に寄与する表示パネルの収納保持構造を提供することができる。
【発明を実施するための最良の形態】
【０００８】
本発明の表示パネルの収納保持構造においては、パネルケースを板金で形成することが好ましく、これにより、表示パネルを挟持させる際に側板を容易に折曲することができ、収納・解体の両作業性が格段に向上する。
【０００９】
また、パネルケース、シールドケース及び表示パネルは共に外形が矩形をなし、パネルケースの４縁辺にそれぞれ立設された側板のうちの隣り合う２側板を折曲し、それぞれに対向する他の側板とで液晶表示パネルを挟持させることが好ましく、これにより、表示パネルをより確実にガタツキなく正規の位置に保持できる。
【００１０】
以下、本発明の好適な実施形態について説明する。
図１は、本発明の一実施形態としての液晶表示モジュールの表示パネルをケースに収納する前における各構成部材を示す分解斜視図であり、図２はその表示パネル収納作業を作業フロー順に段階毎に示す段階別平面図である。
【００１１】
収納される液晶表示パネルＬｐは、一対のガラス基板１、２間に液晶層（不図示）を挟持してなり、これにはブラックマスク（不図示）等により定義される表示領域Ａｖが区画設定されている。ガラス基板１、２はそれぞれ長方形をなし、一方のガラス基板２はその隣り合う２端縁を他方のガラス基板１の対応する各端面よりも適長だけ延出させてある。
【００１２】
上記表示パネルを収容するパネルケース３は、底板３ａとその４縁辺にそれぞれ底板３ａに対して立設された４片の挟持片３ｂ〜３ｅとからなり、１枚の変形可能な板金を所定のパターンに打抜き切断した後折曲加工することにより形成されている。底板３ａの外郭は、上記液晶表示パネルＬｐの大きい方のガラス基板２の外郭よりもそれぞれ縦横に５〜１０％程度延ばした長方形をなしている。そして、底板３ａには、液晶表示パネルＬｐの表示領域Ａｖに対応させて背面窓３ｆが穿設されている。この背面窓３ｆは、本液晶表示モジュールの背面に照明装置が設置される場合の照射光を導入するための窓であり、表示領域Ａｖよりも大きくガラス基板２よりも小さい長方形に穿設されている。
【００１３】
４片の挟持片３ｂ〜３ｅは、互いに対向する挟持片３ｂと３ｄ及び３ｃと３ｅとでそれぞれ挟持片対を構成し、各挟持片対は、それぞれ、液晶表示パネルＬｐの対応する端面を支持するための支持片３ｂ、３ｃと、液晶表示パネルＬｐの対応する端面に当接させこれを対向する支持片３ｂ、３ｃに向けて押圧するための押圧片３ｄ、３ｅとからなる。即ち、２対の挟持片対は、それぞれ、支持片３ｂとこれに対向する押圧片３ｄ、及び支持片３ｃとこれに対向する押圧片３ｅからなり、液晶表示パネルＬｐの収納状態においては各挟持片対で対応する端面を挟持し液晶表示パネルＬｐを正規の位置に保持する。
【００１４】
ここで、各挟持片対のうちの支持片３ｂ、３ｃはそれぞれの長手方向の全長にわたり底板３ａと連なる細長い長方形の側板に形成されており、そのため、過度に押圧された場合に多少傾斜させられることはあっても変形することはない。これに対して、押圧片３ｄ、３ｅは、それぞれ、略Ｔ字型に形成されて底板３ａから切り離された一対の枝部３ｄ1 、３ｄ2 及び３ｅ1 、３ｅ2 を備えており、これら枝部３ｄ1 、３ｄ2 及び３ｅ1 、３ｅ2 は特別な工具を用いずに手作業で容易に折り曲げることができる。これにより、液晶表示パネルＬｐを挟持片対で挟持させる作業を手軽に実施できる。
【００１５】
上記パネルケース３に嵌装されるシールドケース４は、底板の無い箱型、つまり外郭が長方形の天板４ａとこれを取り囲んでその４縁辺にそれぞれ直角に立設された４枚の側板４ｂ〜４ｅからなる蓋体、に形成されている。４枚の側板４ｂ〜４ｅは天板４ａを取り囲み連なっている。天板４ａには、液晶表示パネルＬｐの表示領域Ａｖに対応させて、表示窓４ｆが穿設されている。この場合、表示窓４ｆは、表示領域Ａｖよりも一回り程度大きい長方形に穿設されている。
【００１６】
そして、本シールドケース４における対向する側板４ｂ、４ｄ及び４ｃ、４ｅの各内面間寸法は、パネルケース３の底板の外郭寸法よりもその側板つまり挟持辺３ｂ〜３ｅの厚さと適長の許容幅を加えた程度だけ大きく設定されている。
【００１７】
次に、以上の様な構成部材からなる本液晶表示モジュールのケース収納作業動作手順について、図２の（ａ）〜（ｄ）に基づき説明する。
【００１８】
図２（ａ）は、パネルケース３を示す平面図である。支持片３ｂ、３ｃと押圧片３ｄ、３ｅが底板３ａに対し、支持片３ｂ、３ｃは直角よりも外側へ５〜１０°程度傾けて、押圧片３ｄ、３ｅは逆に内側へ５〜１０°程度傾けて、それぞれ立設されている。この底板３ａ上に、図２（ｂ）に示すように、液晶表示パネルＬｐを載置する。この際、押圧片３ｄ、３ｅにおける枝部３ｄ1 、３ｄ2 及び３ｅ1 、３ｅ2 の各端部がそれぞれ外側に折り曲げられているので、それら枝部３ｄ1 、３ｄ2 及び３ｅ1 、３ｅ2 が邪魔にならずに液晶表示パネルＬｐを底板３ａ上に容易に載置できる。
【００１９】
次いで、図２（ｃ）に示すように、押圧片３ｄ、３ｅの枝部３ｄ1 、３ｄ2 及び３ｅ1 、３ｅ2 を、それぞれ、内側すなわち液晶表示パネルＬｐの方向へ「く」の字になるように折り曲げ、「く」の字の角部を液晶表示パネルＬｐの大サイズガラス基板２の対応する端面に当接させ、液晶表示パネルＬｐを対向する支持片３ｂ、３ｃ側へ押圧させて支持片３ｂ、３ｃに対応する端面を当接させる。これにより、液晶表示パネルＬｐは、所定の仮置き位置に保持される。この際、押圧片３ｄ、３ｅの枝部３ｄ1 、３ｄ2 及び３ｅ1 、３ｅ2 は、塑性変形可能な板金からなるため、手作業により所望の「く」の字に容易に折り曲げることができ、且つ、放置しておいてもその「く」の字に折り曲げた形態が保持される。この段階において、液晶表示パネルＬｐが仮置き位置に一時的に保持され、作業者は両手が空くため、次順のシールドケース嵌装作業が容易なものとなる。
【００２０】
次に、シールドケース４を液晶表示パネルＬｐが仮置き位置に保持されているパネルケース３に嵌装する。この際、前述したように押圧片３ｄ、３ｅは適度に内側に傾斜した状態まで折り曲げてあるから、シールドケース３を反対側の外側に傾けた支持片３ｂ、３ｃが隣り合うコーナーＣの方から先に被せて行く。こうすることにより、パネルケース３の底板３ａに対して挟持片３ｂ〜３ｅの厚さと適長の許容幅を加えた程度の僅かなクリアランスしか設定していない本実施形態のようなシールドケース４であってもパネルケース３に円滑に嵌装することができる。
【００２１】
図２（ｄ）は、シールドケース４の嵌装が完了した状態を天板４ａ（図１参照）を切除して示している。この嵌装完了状態においては、液晶表示パネルＬｐが僅かに押圧片３ｄ、３ｅ側に押し戻され、支持片３ｂ、３ｃ及び押圧片３ｄ、３ｅが全て略直角に立ち上がるとともに、押圧片３ｄ、３ｅの枝部３ｄ1 、３ｄ2 及び３ｅ1 、３ｅ2 の各先端がシールドケース４における対応する側板４ｄ、４ｅの各内面にそれぞれ当接している。これにより、各押圧片３ｄ、３ｅが板バネのように機能し、それらの適度な弾発力で液晶表示パネルＬｐを支持片３ｂ、３ｃ側に押圧付勢した状態が保持される。このようにして、液晶表示パネルＬｐは正規の位置、つまりその表示領域Ａｖがシールドケース４の表示窓４ｆにそれぞれの中心を一致させて重なる位置、に安定して保持される。
【００２２】
以上のように、本実施形態の収納保持構造によれば、塑性変形可能な板金で形成した２対の挟持片３ｂ〜３ｅにより外形が長方形の液晶表示パネルＬｐの対応する２対の端面を挟持させて、液晶表示パネルＬｐを正規の位置に保持する構成としたから、シールドケース４を嵌装する前に液晶表示パネルＬｐを簡単な手作業で仮置き位置に一時的に保持させることができ、且つ作業者は空いた両手で次順のシールドケース４の嵌装作業を極めて手軽に行うことができる。また、シールドケース４を嵌装して収納作業が完了した後は、挟持片が板バネとして機能し、液晶表示パネルＬｐが正規の位置に長期にわたり安定して保持される。
【００２３】
次に、上記実施形態の変形例について、図３（ａ）、（ｂ）に基づき説明する。なお、上記実施形態と同一の構成要素については同一の符号を付して、その説明を省略する。
【００２４】
図３（ａ）に示した変形例は、表示パネルＤｐ1 の外形が台形をなし、これに対応させて、パネルケース５及びシールドケース６も外形が同様の台形をなしている。そして、パネルケース５の底板５ａの４個の縁辺にそれぞれ立設されている側板５ｂ〜５ｅのうち、表示パネルＤｐ1 の台形の下底に相当する最も長い端面に対応する側板５ｅだけが、上記実施形態のものと同様の「く」の字に折曲可能な枝部５ｅ1 、５ｅ2 を備えた押圧片に形成されている。その他の構成は、上記実施形態と同じである。
【００２５】
本変形例による場合、上記実施形態と同様にケース収納及び解体の各作業が簡単となり且つ表示パネルＤｐを正規の位置に安定して保持できるだけでなく、１枚の側板５ｅだけを押圧片としたから、押圧片を設ける領域に自ずと生じる表示モジュールにおける額縁部分を少なくすることができ、表示モジュールの小型化に極めて有利となる。なお、表示パネルＤｐは、液晶表示パネルに限らず、他のフラットディスプレイパネルの有機エレクトロルミネッセンスパネルやプラズマディスプレイパネル等であってもよい。
【００２６】
図３（ｂ）に示した変形例は、表示パネルＤｐ2 の外形が正五角形をなし、これに対応させて、パネルケース７及びシールドケース８も外形が同様の正五角形をなしている。そして、パネルケース７の底板７ａの５個の縁辺にそれぞれ立設されている５枚の側板７ｂ〜７ｆのうち、３枚の側板７ｄ〜７ｆが「く」の字に折曲可能な枝部７ｄ1 、７ｄ2 と７ｅ1 、７ｅ2 及び７ｆ1 、７ｆ2 をそれぞれ備えた押圧片に形成されている。その他の構成は、上記実施形態と同じである。
【００２７】
本変形例によれば、表示パネルＤｐ2 の外形が五角形をなしていても、上記実施形態と同様にケースへの収納及び解体の各作業が簡単であり且つ五角形をなす表示パネルＤｐ2 を正規の位置に安定して保持できる。この場合、３枚の側板７ｄ〜７ｆを押圧片とした為、それに対応して額縁領域の面積が大きくなってしまうが、壁掛け用のディスプレイのように表示モジュールが室内インテリア品となる場合は、その広い額縁領域に装飾模様等を配することにより、額縁領域が広くなる欠点を相殺することができる。
【００２８】
なお、本発明は、上述した実施形態や変形例等に限定されるものではない。
例えば、表示パネルとそれを収納するパネルケースやシールドケースの外形が、上記実施形態に示した形状以外の、例えば三角形や六角形以上の多角形或いは円形や楕円形等、他の種々の形状である場合にも、本発明を好適に適用することが可能である。
【図面の簡単な説明】
【００２９】
【図１】本発明の一実施形態としての液晶表示モジュールを構成する各部材のケース収納する前の状態を示す分解斜視図である。
【図２】上記液晶表示モジュールの製造工程におけるケース収納作業を段階毎に示す説明図で、（ａ）はパネルケース３を示す平面図、（ｂ）は液晶表示パネルＬｐを載置した状態を示す平面図、（ｃ）は液晶表示パネルＬｐの挟持状態を示す平面図、及び（ｄ）はシールドケース４を嵌装した状態を示す平面図である。
【図３】上記実施形態の液晶表示モジュールの変形例を示す平面図で、（ａ）は外形が台形の場合、（ｂ）は外形が正五角形の場合、の各変形例をそれぞれ示している。
【符号の説明】
【００３０】
１、２          ガラス基板
３、            パネルケース
３ａ            底板
３ｂ、３ｃ      支持片（挟持片）
３ｃ、３ｄ      押圧片（挟持片）
４              シールドケース
４ａ            天板
４ｂ〜４ｅ      側板
５              パネルケース
５ａ            底板
５ｂ〜５ｄ      支持片（挟持片）
５ｅ            押圧片（挟持片）
６              シールドケース
７              パネルケース
７ａ            底板
７ｂ、７ｃ      支持片（挟持片）
７ｄ〜７ｆ      押圧片（挟持片）
８              シールドケース  
Ａｖ            表示領域
Ｌｐ            液晶表示パネル
Ｄｐ1 、Ｄｐ2   表示パネル
【図１】
2005189596.tif 000003
【図２】
2005189596.tif 000004
【図３】
2005189596.tif 000005